(57)【要約】      （修正有）【課題】構造が簡潔で小規模な装置であって、簡便に移動させることができる可搬式対人除菌装置を提供する。【解決手段】可搬式対人除菌装置１は、除菌室２と機械室３とを個別的に備えており、除菌室２には、噴霧ノズル２ａと、人体検知センサ２ｂと、遮断機と、表示灯２ｄとを備えており、機械室３には、空気圧縮機３ａと、液体薬剤貯留庫３ｂとを備えており、空気圧縮機３ａと噴霧ノズル２ａとを送気チューブ４により連結するとともに、液体薬剤貯留庫３ｂと噴霧ノズル２ａとを送液チューブ６により連結する。【選択図】図１
0003165150.tif 000002
【実用新案登録請求の範囲】
【請求項１】
除菌室内に入室した者の身体又は着衣に対して霧化された液体薬剤を噴霧することにより入室者の身体又は着衣の除菌を行う対人除菌装置であって、除菌室と機械室とを個別的に備えており、該除菌室には、液体薬剤を霧状に噴霧するための噴霧ノズルと、入室者を検知するための人体検知センサとを備えており、該機械室には、該噴霧ノズルに圧縮空気を吐出するための空気圧縮機と、該液体薬剤を貯留するための液体薬剤貯留庫とを備えており、該空気圧縮機と該噴霧ノズルとを送気チューブにより連結するとともに、該液体薬剤貯留庫と該噴霧ノズルとを送液チューブにより連結することを特徴とする可搬式対人除菌装置。
【請求項２】
請求項１に記載した可搬式対人除菌装置であって、霧化された液体薬剤の噴霧が終了する前に入室者が退室することを防止するための遮断機を前記除菌室に備えることを特徴とする可搬式対人除菌装置。
【請求項３】
請求項１又は２に記載した可搬式対人除菌装置であって、該可搬式対人除菌装置の状態を表示するための表示灯を前記除菌室に備えることを特徴とする可搬式対人除菌装置。
【考案の詳細な説明】
【技術分野】
【０００１】
本考案は、除菌室内に入室した者の身体又は着衣に対して霧化された液体薬剤を噴霧することにより入室者の身体又は着衣の除菌を行う可搬式対人除菌装置に関するものである。
【背景技術】
【０００２】
職場、学校、病院、官公庁、レクリエーション施設、公共交通機関等の不特定多数の人々が行き交う場所は種々の雑菌により汚染されており、このような空間に人が居ると該雑菌が身体又は着衣に付着してしまうことが考えられる。そして、人がそのまま自宅等の種々の雑菌により汚染されていない空間に移動すると、その身体又は着衣に付着した雑菌により該空間が汚染されてしまうことが懸念される。
【０００３】
そこで、従来、除菌室内に入室した者の身体又は着衣に対して霧化された液体薬剤を噴霧することにより、入室者の身体又は着衣の除菌を行う対人除菌装置が提案されているところである（例えば、特許文献１参照。）。
【先行技術文献】
【特許文献】
【０００４】
【特許文献１】特開２００５−２０４７２６号公報
【考案の概要】
【考案が解決しようとする課題】
【０００５】
しかしながら、上記の従来技術に係る対人除菌装置は、まず、大規模な装置であることから、該対人除菌装置を設置するためには比較的広い空間を確保する必要があるため、例えば、一般的な住宅の玄関先等の比較的狭い空間には設置することができず、必ずしも所望の場所に設置することができないという問題があった。また、上記の従来技術に係る対人除菌装置は、大規模な装置であるが故に、該対人除菌装置を設置する場所に移動させることもまた困難であるという問題があった。
【０００６】
そこで、本考案の第一の課題は、除菌室内に入室した者の身体又は着衣に対して霧化薬剤を噴霧することにより入室者の身体又は着衣の除菌を行う対人除菌装置につき、その構造の簡潔化を図ることで小規模な装置とすることにより、比較的狭い空間にも設置することができ、かつ、簡便に設置場所に移動させることができる可搬式対人除菌装置を提供することにある。
【０００７】
また、上記の従来技術に係る対人除菌装置は、入室者が霧化薬剤をどの程度噴霧されることによってその身体又は着衣についての除菌が十分に為されるのかが入室者にとって必ずしも明らかでないため、入室者がその身体又は着衣についての除菌が十分に為されないまま除菌室から退室しまう場合があり、反対に、入室者が必要以上に霧化薬剤を噴霧されてしまう場合もあった。
【０００８】
そこで、本考案の第二の課題は、除菌室内に入室した者の身体又は着衣に対して霧化薬剤を噴霧することにより入室者の身体又は着衣の除菌を行う対人除菌装置につき、入室者に対してその身体又は着衣の除菌を行うのに必要十分な霧化薬剤を噴霧することができる可搬式対人除菌装置を提供することにある。
【０００９】
更に、上記の従来技術に係る対人除菌装置は、入室者にとって該対人除菌装置が適切に作動する状態にあるのかが明確には分からない場合があり、例えば、液体薬剤が不足している等の該対人除菌装置が適切に作動することができない状態であるにも拘らず、入室者が誤って該対人除菌装置を使用してしまうことがあった。
【００１０】
そこで、本考案の第三の課題は、除菌室内に入室した者の身体又は着衣に対して霧化薬剤を噴霧することにより入室者の身体又は着衣の除菌を行う対人除菌装置につき、該対人除菌装置の状態を入室者が明確に認識することができる可搬式対人除菌装置を提供することにある。
【課題を解決するための手段】
【００１１】
本考案の第一の課題を解決するため、請求項１に係る可搬式対人除菌装置は、除菌室内に入室した者の身体又は着衣に対して霧化された液体薬剤を噴霧することにより入室者の身体又は着衣の除菌を行う対人除菌装置であって、除菌室と機械室とを個別的に備えており、該除菌室には、液体薬剤を霧状に噴霧するための噴霧ノズルと、入室者を検知するための人体検知センサとを備えており、該機械室には、該噴霧ノズルに圧縮空気を吐出するための空気圧縮機と、該液体薬剤を貯留するための液体薬剤貯留庫とを備えており、該空気圧縮機と該噴霧ノズルとを送気チューブにより連結するとともに、該液体薬剤貯留庫と該噴霧ノズルとを送液チューブにより連結することを特徴とする可搬式対人除菌装置である。
【００１２】
本考案の第二の課題を解決するため、請求項２に係る可搬式対人除菌装置は、請求項１に記載した可搬式対人除菌装置であって、霧化された液体薬剤の噴霧が終了する前に入室者が退室することを防止するための遮断機を前記除菌室に備えることを特徴とする可搬式対人除菌装置である。
【００１３】
本考案の第三の課題を解決するため、請求項３に係る可搬式対人除菌装置は、請求項１又は２に記載した可搬式対人除菌装置であって、該可搬式対人除菌装置の状態を表示するための表示灯を前記除菌室に備えることを特徴とする可搬式対人除菌装置である。
【考案の効果】
【００１４】
請求項１から３までに記載した本考案に係る可搬式対人除菌装置は、上記の通りの構成であるから、以下のような効果を得ることができる。
【００１５】
請求項１に記載した可搬式対人除菌装置は、除菌室と機械室とを個別的な構造とすることにより、該装置の全体的な構造を簡潔なものとすることができるとともに、小規模な装置とすることができる。従って、請求項１に記載した可搬式対人除菌装置は、除菌室内に入室した者の身体又は着衣に対して霧化薬剤を噴霧することにより入室者の身体又は着衣の除菌を行う対人除菌装置につき、その構造の簡潔化を図ることで小規模な装置とすることにより、比較的狭い空間にも設置することができ、かつ、簡便に設置場所に移動させることができる可搬式対人除菌装置を提供するという本考案の第一の課題を解決することができる。
【００１６】
次に、請求項２に記載した可搬式対人除菌装置は、霧化された液体薬剤の噴霧が終了する前に入室者が退室することを防止するための遮断機を前記除菌室に備えることにより、入室者がその身体又は着衣についての除菌が十分に為されないまま除菌室から退室してしまうことはなく、また、入室者が必要以上に霧化薬剤を噴霧されてしまうこともなくなる。従って、請求項２に記載した可搬式対人除菌装置は、除菌室内に入室した者の身体又は着衣に対して霧化薬剤を噴霧することにより入室者の身体又は着衣の除菌を行う対人除菌装置につき、入室者に対してその身体又は着衣の除菌を行うのに必要十分な霧化薬剤を噴霧することができる可搬式対人除菌装置を提供するという本考案の第二の課題を解決することができる。
【００１７】
そして、請求項３に記載した可搬式対人除菌装置は、該可搬式対人除菌装置の状態を表示するための表示灯を前記除菌室に備えることにより、該可搬式対人除菌装置が適切に作動することができない状態である場合に入室者が誤って使用してしまうことがなくなる。従って、請求項３に記載した可搬式対人除菌装置は、除菌室内に入室した者の身体又は着衣に対して霧化薬剤を噴霧することにより入室者の身体又は着衣の除菌を行う対人除菌装置につき、該対人除菌装置の状態を入室者が明確に認識することができる可搬式対人除菌装置を提供するという本考案の第三の課題を解決することができる。
【図面の簡単な説明】
【００１８】
【図１】本考案の一実施形態に係る可搬式対人除菌装置を示した概略正面図である。
【図２】本考案の一実施形態に係る可搬式対人除菌装置を示した概略背面図である。
【考案を実施するための形態】
【００１９】
まず、本考案の一実施形態に係る可搬式対人除菌装置の構造について、添付図面に基づいて説明する。
【００２０】
本考案の一実施形態に係る可搬式対人除菌装置１は、図１及び２に図示するように、除菌室２と機械室３とを個別的に備えるものである。
【００２１】
除菌室２は、図１及び２に図示するように、前後が開放された箱形の部材であり、入室者８がその内部を通過できる構造となっている。除菌室２には、図１及び２に図示するように、噴霧ノズル２ａと、人体検知センサ２ｂと、遮断機２ｃと、表示灯２ｄと、制御装置２ｅと、脚車２ｆとが備えられている。
【００２２】
噴霧ノズル２ａは、液体薬剤７を霧状に噴霧するための部材であり、図１及び２に図示するように、除菌室２内に複数個取り付けられているが、噴霧ノズル２ａを取り付ける個数及び位置については特に限定されない。噴霧ノズル２ａとしては、各種の公知の洗浄用噴霧ノズルを用いることができるが、液体薬剤７の噴霧粒子の大きさが大きい場合には、入室者８が該噴霧粒子のべたつきによる不快感を覚えるため、該噴霧粒子の平均粒子径が６．７μｍ程度のものとすることができる洗浄用噴霧ノズルを用いるのが好適である。
【００２３】
人体検知センサ２ｂは、除菌室２内への入室者８を検知するための部材であり、図１及び２に図示するように、除菌室２の天井及び入口に取り付けられているが、人体検知センサ２ｂを取り付ける個数及び位置については特に限定されない。人体検知センサ２ｂとしては、赤外線センサ、超音波センサ、又は光電式センサ等をはじめとする各種の公知の人体検知センサを用いることができる。
【００２４】
遮断機２ｃは、霧化された液体薬剤７の噴霧が終了する前に入室者８が除菌室２から退室することを防止するための部材であり、図２に図示するように、除菌室２の出口に開閉可能なように取り付けられている。
【００２５】
表示灯２ｄは、可搬式対人除菌装置１の状態を表示するための部材であり、図１に図示するように、除菌室２の入口に取り付けられているが、入室者８が視認することができる位置であれば、表示灯２ｄを取り付ける位置については特に限定されない。
【００２６】
除菌室２の床下には、図１及び２に図示するように、人体検知センサ２ｂによる除菌室２内への入室者８の検知に基づく遮断機２ｃの開閉及び噴霧ノズル２ａからの液体薬剤７の噴霧をはじめとする可搬式対人除菌装置１の運転を制御するために用いられる制御装置２ｅが収納されており、可搬式対人除菌装置１の構造の簡潔化を図ることができる。
【００２７】
除菌室２の下面には、図１及び２に図示するように、脚車２ｆが取り付けられており、可搬式対人除菌装置１を簡便に移動させることができる。
【００２８】
機械室３は、図１及び２に図示するように、箱形の部材であり、機械室３内には、空気圧縮機３ａと、液体薬剤貯留庫３ｂとが収納されており、また、電源ケーブル３ｃと、脚車３ｄとが取り付けられている。
【００２９】
空気圧縮機３ａは、外部から取り込んだ空気を圧縮して噴霧ノズル２ａへと吐出するための装置であり、噴霧ノズル２ａとの間では送気チューブ４により連結されているとともに、制御装置２ｅとの間では信号ケーブル５により連結されている。空気圧縮機３ａとしては、電動エアコンプレッサーをはじめとする各種の公知の空気圧縮機を用いることができる。
【００３０】
液体薬剤貯留庫３ｂは、噴霧ノズル２ａから霧状に噴霧される液体薬剤７を貯留するための容器であり、噴霧ノズル２ａとの間では送液チューブ６により連結されている。
【００３１】
液体薬剤７としては、各種の公知の液体除菌剤を用いることができるが、本考案が対人除菌装置に係るものであるという観点からは、高い除菌効果及び消臭効果を有する一方で、人体に及ぼす影響が少ない弱酸性次亜塩素酸水溶液を用いることが好適である。
【００３２】
電源ケーブル３ｃは、可搬式対人除菌装置１に用いる電力の供給を受けるためのものであり、図１及び２に図示するように、機械室３に取り付けられている。可搬式対人除菌装置１は、その電圧をＡＣ１００Ｖとすると、一般的なコンセントからも電源ケーブル３ｃを介して電力の供給を受けることが可能となり、所望の場所に設置することができるようになって好適である。
【００３３】
機械室２の下面には、図１及び２に図示するように、脚車３ｄが取り付けられており、可搬式対人除菌装置１を簡便に移動させることができる。
【００３４】
次に、本考案の一実施形態に係る可搬式対人除菌装置１の使用態様について説明する。
【００３５】
入室者８は、まず、表示灯２ｄを確認して、可搬式対人除菌装置１が正常に作動し得る状態であることを確認する。
【００３６】
除菌室２の入口に取り付けられた人体検知センサ２ｂが除菌室２の入口に立つ入室者８を検知すると、遮断機２ｃが下降して、液体薬剤７の噴霧が終了する前に入室者８が除菌室２から退室することを防止する。
【００３７】
除菌室２の天井に取り付けられた人体検知センサ２ｂが除菌室２内に入室者８が入室していることを検知すると、噴霧ノズル２ａは、空気圧縮機３ａから送気チューブ４を介して吐出される圧縮空気と液体薬剤貯留庫３ｂから送液チューブ６を介して供給される液体薬剤７とを混合して除菌室２内へと噴霧を開始する。また、噴霧ノズル２ａは、所定の時間が経過すると、制御装置２ｅ内のタイマにより液体薬剤７の噴霧を停止する。
【００３８】
噴霧ノズル２ａの噴霧の停止に併せて所定の時間が経過すると、制御装置２ｅ内のタイマにより遮断機２ｃが上昇し、入室者８は除菌室２から退室することができる。
【符号の説明】
【００３９】
１  可搬式対人除菌装置
２  除菌室
２ａ  噴霧ノズル
２ｂ  人体検知センサ
２ｃ  遮断機
２ｄ  表示灯
２ｅ  制御装置
２ｆ  脚車
３  機械室
３ａ  空気圧縮機
３ｂ  液体薬剤貯留庫
３ｃ  電源ケーブル
３ｄ  脚車
４  送気チューブ
５  信号ケーブル
６  送液チューブ
７  液体薬剤
８  入室者
【図１】
0003165150.tif 000003
【図２】
0003165150.tif 000004